(57)【要約】【課題】並列している複数個の乾電池の一方の極側を乾電池用封印シールで封印し、所望の乾電池を取り外したとき残された個数の乾電池の整形形状がくずれず、且つ取り外された個々の乾電池が使用済みか否かの判断が的確にできる電池用封印シールで包装した乾電池包装体を得る。【解決手段】複数個の乾電池１１ａ、１１ｂ、１１ｃ、１１ｄの各正極端子上及び各正極端子間を連続して覆う面及び対向する両側面の３面を電池用封印シール１０で覆い整形して封印しシュリンクフィルムで包装する。電池用封印シール１０は乾電池間の境界上にミシン目１４ａ、１４ｂ、１４ｃと、各ミシン目の延長線上の少なくとも一方の側縁を切り欠き、ミシン目に沿って切断するための引張り力を付与するツマミ片１６ａ、１６ｂ、１６ｃとが形成される。【選択図】        図１
2004165016.tif 000002
【特許請求の範囲】
【請求項１】
並列した２個以上の乾電池の一方の電極のすべての端子及び各端子間を連続して覆う第１の領域と、上記第１の領域の１  側に連続して形成され且つ上記２個以上の乾電池の一方の側面の少なくとも一部を連続して覆う第２の領域と、上記第１の領域の他側に連続して形成され且つ上記２個以上の乾電池の他方の側面の少なくとも一部を連続して覆う第３の領域と、上記２個以上の乾電池の隣り合う乾電池間の夫々境界部に沿って上記第２の領域から第３の領域まで形成された破断を容易にするための切断案内線、が設けられたシール本体を備え、上記シール本体の上記第２の領域及び上記第３の領域の少なくとも一方の外縁部に、ツマミ片を設けたことを特徴とする乾電池用封印シール。
【請求項２】
上記ツマミ片は、上記切断案内線に沿って一方に切欠き
部を設けることにより他方に形成されることを特徴とする請求項１記載の乾電池用封印シール。
【請求項３】
上記ツマミ片は、上記切断案内線の端を挟んだ少なくとも一方のシールの裏面に接着剤を塗布しないことにより形成されることを特徴とする請求項１記載の乾電池用封印シール。
【請求項４】
上記シール本体の上記第１の領域と上記第２の領域との境界部及び上記第１の領域と上記第２の領域と上記第３の領域のすべてを覆う熱収縮性フィルムの収縮により発生するシワを吸収する第１の開口部を設けたことを特徴とする請求項１記載の乾電池用封印シール。
【請求項５】
上記第１の開口部の形状は、円形、楕円形、正方形、長方形、又は菱形であることを特徴とする請求項４記載の乾電池用封印シール。
【請求項６】
上記第１の開口部分の大きさは、上記乾電池が円筒形電池である場合、当該電池の外径の１／２以上で、且つ２／３以下の寸法であることを特徴とする請求項４記載の乾電池用封印シール。
【請求項７】
上記シール本体の上記第２の領域と上記第３の領域の、上記２個以上の乾電池のそれぞれの側面と接触する部分に接着剤を塗布したことを特徴とする請求項１記載の乾電池用封印シール。
【請求項８】
上記シール本体の上記第１の領域と、上記第２の領域及び上記第３の領域の少なくとも一方に設けられた上記ツマミ部及びその近傍には、上記接着剤を塗布しないことを特徴とする請求項７記載の乾電池用封印シール。
【請求項９】
上記シール本体の上記第１の領域であって、上記２個以上の乾電池の隣り合う乾電池間に、上記第１の領域と上記第２の領域と上記第３の領域のすべてを覆う熱収縮性フィルムの収縮により発生するシワを吸収する第２の開口部を設けたことを特徴とする請求項１記載の乾電池用封印シール。
【請求項１０】
並列した２個以上の乾電池と、
上記２個以上の乾電池の一方の電極側を覆う乾電池用封印シールとからなり、上記乾電池用封印シールは、上記２個以上の乾電池の全ての端子及び各端子間を連続して覆う第１の領域と、上記第１の領域の一側に連続して形成され且つ上記２個以上の乾電池の一方の側面の少なくとも一部を連続して覆う第２の領域と、上記第１の領域の他側に連続して形成され且つ上記２個以上の乾電池の他方の側面の少なくとも一部を連続して覆う第３の領域と、上記２個以上の乾電池の隣り合う乾電池間のそれ境界部に沿って上記第２の領域から第３の領域まで形成された破断を容易にするための切断案内線、が設けられたシール本体を備え、
上記シール本体の上記第２の領域及び上記第３の領域の少なくとも一方の外縁部に、ツマミ片を設けたことを特徴とする乾電池包装体。
【請求項１１】
上記ツマミ片は、上記切断案内線に沿って一方に切欠き部を設けることにより他方に形成されることを特徴とする請求項１０記載の乾電池包装体。
【請求項１２】
上記ツマミ片は、上記切断案内線の端を挟んだ少なくとも一方のシールの裏面に接着剤を塗布しないことにより形成されることを特徴とする請求項１０記載の乾電池包装体。
【請求項１３】
上記シール本体の全体を熱収縮性フィルムで覆ってシュリンク包装したことを特徴とする請求項１０記載の乾電池包装体。
【請求項１４】
上記シール本体を含む乾電池の全体を熱収縮性フィルムで覆ってシュリンク包装したことを特徴とする請求項１０記載の乾電池包装体。
【発明の詳細な説明】
【０００１】
【発明の属する技術分野】
本発明は、複数本の乾電池が整列されて包装された使用時に所望の数の乾電池を取り出したとき残存した複数の乾電池の整列の形をくずさずに維持できると共に取り出した電池が使用済みか未使用かを容易に判別できる電池用封印シール及び乾電池包装体に関する。
【０００２】
【従来の技術】
一般に、乾電池用封印テープは１個の乾電池の正極端子を封印し、この封印しているテープを見ることによって該乾電池が未使用であることが認識できる。
従来、乾電池用封印テープは、乾電池の正極端子に接する部分をフィルム状とし両側に粘着剤が塗布されている。乾電池の正極端子にテープのフィルム部分を当接し粘着剤が塗布されている両端を乾電池の正極端子を除く部分に押し付け接着させることによって正極端子は封印されるものが知られている（例えば、特許文献１参照）。
【０００３】
又、複数の乾電池をスリーブ状の板紙を用いて包装する場合、乾電池の肩部や底部のアール形状がロックの障害となり堅固にロックできず、又包装後、乾電池が脱落し易かった。そこで複数本の乾電池を集積して四角形状のカートンブランクを用いて包装し、板紙の陽極の突起が嵌合される部分に凹部を形成し、且つ乾電池の肩部と底部に当る部分に半月状の係止孔を形成して包装した場合のロックの安定を図る乾電池集積包装体が知られている。（例えば、特許文献２参照）。
【０００４】
又、並列に集合した複数個の円筒形物品を熱収縮性フィルムで覆い過熱することによって上記フィルムを収縮させて上記複数個の円筒形物品を固定保持する包装体において、被包装物品である円筒形物品を容易に取り出せるように上記円筒形物品の側面のフィルムにミシン目を入れフィルムを破り易くする。ミシン目は櫛状の歯を有するミシン目形成治具を用いて形成することが知られている。（例えば、特許文献３参照）。
【０００５】
又、写真感光材料を収納する写真感光材料包装装置の分野において、複数個の写真感光材料収納マガジンをミシン目を有するシュリンクフィルムで一体的に包装し、個々のマガジンを取り出すときにはミシン目に沿って切り離すことが知られている。（例えば、特許文献４参照）。
【０００６】
又、並列に集合した複数個の円筒形物品を熱収縮性フィルムで覆い、加熱して収縮させることによって円筒形物品を固定及び保持する包装体であって、隣接する円筒形物品の境界部に沿って切り込み部が形成され、該切り込み部は、境界部に位置する円筒形物品の外周面に沿うよう湾曲している。円筒形物品を個別に取り出したとしても残りの円筒形物品は集合された並列形状を崩すことはないという円筒形物品の包装体が知られている。（例えば、特許文献５参照）。
【０００７】
更に、隣り合った被包装物品を熱収縮性フィルムで被覆し加熱して収縮することで形成する包装体であって、隣接する被包装物品間と熱収縮性フィルムとの間に生じる空間部に当るフィルム上に破断するための切り込み等の開封手段を設けたことが知られている。（例えば、特許文献６参照）。
【０００８】
【特許文献１】
特公平１−４７８５５号公報  （第２頁、第４図）
【特許文献２】
特開平９−１１００６９号公報  （（明細書の欄〔０００７〕、図３、（明細書の欄〔０００８〕、図４）
【特許文献３】
特開２００１−２７０５５４号公報  （（明細書の欄〔００１３〕、〔００１８〕、図１０、図１１）
【特許文献４】
特開平８−１２２９８１号公報（明細書の欄〔００１３〕、図１）
【特許文献５】
特開２００１−１３０６２６号公報（明細書の欄〔０００８〕、図１）
【特許文献６】
実開平６−３７１７５号公報（明細書の欄〔００１１〕、〔００１２〕、図１）
【０００９】
【発明が解決しようとする課題】
一般に、乾電池の販売は単品としての販売のみならず複数本の乾電池を整列状態にしてシュリンクフィルムで束ねて包装され販売されている。単１、単２の場合は２〜４本、単３の場合は４本、８本或いは１２本、２０本と束ねて販売される場合がある。
【００１０】
しかしながら、乾電池の個数が多くなると使用時にシュリンクフィルム破り必要な個数の乾電池を取り外すと残された乾電池の包装された整列形状がくずれ、ばらばらになる虞があった。
【００１１】
又、乾電池が使用済みか、未使用かを判断するのに乾電池の正極端子を封印テープで封印しておき、未だ封印テープが正極端子上に残っていれば未使用の乾電池であると判断された。
【００１２】
しかしながら、１個の乾電池毎に正極端子を封印テープで封印することは知られているが、複数個の乾電池を束ねてシュリンクフィルムで包装して販売する場合、各乾電池の正極端子を一括して封印テープで封印し、使用時に所望の個数の乾電池をシュリンクフィルムを破って取り外すとき、正極端子を封印している封印テープも正極上から除かれてしまい個々の乾電池の正極が封印テープで封印されているか否かの判断で使用済みか、未使用かの判断をすることができなかった。
【００１３】
特に、特開平９−１１００６９号公報は、並列している乾電池が周囲の四辺を板紙で囲んで保持されているが板紙の両側端のオーバーラップしている接着部は個々の乾電池を取り外す時に接着が剥がれ、複数の乾電池はばらばらとなり使用済みか未使用かの判断ができなくなる虞がある。
又、正極側と負極側とは一枚の板紙で連続して包囲されているので水分を吸収する環境におかれたとき正極と負極とを繋ぐ水分の回路を形成し微弱な電流が流れてしまう。この微弱な電流は正極の金属を溶かし錆びが生じる原因となっていた。
【００１４】
本発明は、上記事情に鑑み、正極が並列している複数個の乾電池の一方の極側を封印シールでまとめて封印し、所望個数の乾電池を取り外したとき残された個数の乾電池の包装された形状がくずれず、且つ取り外された個々の乾電池が使用済みか未使用かの判断が的確にできる電池用封印シール及び複数電池を封印した乾電池包装体を提供することを目的とする。
【００１５】
【課題を解決するための手段】
上述した課題を解決し、上記目的を達成するため本出願の請求項１に記載の電池用封印シールは、並列した２個以上の乾電池の一方の電極のすべての端子及び各端子間を連続して覆う第１の領域と、第１の領域の１  側に連続して形成され且つ２個以上の乾電池の一方の側面の少なくとも一部を連続して覆う第２の領域と、第１の領域の他側に連続して形成され且つ２個以上の乾電池の他方の側面の少なくとも一部を連続して覆う第３の領域と、２個以上の乾電池の隣り合う乾電池間の夫々境界部に沿って第２の領域から第３の領域まで形成された破断を容易にするための切断案内線、が設けられたシール本体を備え、
シール本体の第２の領域及び第３の領域の少なくとも一方の外縁部に、ツマミ片を設けたことを特徴としている。
【００１６】
本出願の請求項２記載の乾電池用封印シールは、ツマミ片が切断案内線に沿って一方に切欠き部を設けることにより他方に形成されることを特徴としている。
【００１７】
本出願の請求項３記載の乾電池用封印シールは、ツマミ片が切断案内線の端を挟んだ少なくとも一方のシールの裏面に接着剤を塗布しないことにより形成されることを特徴としている。
【００１８】
本出願の請求項４記載の乾電池用封印シールは、シール本体の第１の領域と第２の領域との境界部及び第１の領域と第２の領域と第３の領域のすべてを覆う熱収縮性フィルムの収縮により発生するシワを吸収する第１の開口部を設けたことを特徴としている。
【００１９】
本出願の請求項５記載の乾電池用封印シールは、第１の開口部の形状が円形、楕円形、正方形、長方形、又は菱形であることを特徴としている。
【００２０】
本出願の請求項６記載の電池用封印シールは、第１の開口部分の大きさが、乾電池が円筒形電池である場合、当該電池の外径の１／２以上で、且つ２／３以下の寸法であることを特徴とすることを特徴としている。
【００２１】
本出願の請求項７記載の電池用封印シールは、シール本体の第２の領域と第３の領域の、２個以上の乾電池の側面と接触する部分に接着剤を塗布したことを特徴としている。
【００２２】
本出願の請求項８記載の乾電池用封印シールは、シール本体の第１の領域と、第２の領域及び第３の領域の少なくとも一方に設けられたツマミ部及びその近傍には、上記接着剤を塗布しないことを特徴としている。
【００２３】
本出願の請求項９記載の乾電池用封印シールは、シール本体の第１の領域の領域であって、２個以上の乾電池の隣り合う乾電池間に、第１の領域と第２の領域と第３の領域のすべてを覆う熱収縮性フィルムの収縮により発生するシワを吸収する第２の開口部を設けたことを特徴としている。
【００２４】
本出願の請求項１０記載の乾電池包装体は、並列した２個以上の乾電池と、
２個以上の乾電池の一方の電極側を覆う乾電池用封印シールとからなり、
乾電池用封印シールは、２個以上の乾電池の全ての端子及び各端子間を連続して覆う第１の領域と、第１の領域の一側に連続して形成され且つ２個以上の乾電池の一方の側面の少なくとも一部を連続して覆う第２の領域と、第１の領域の他側に連続して形成され且つ２個以上の乾電池の他方の側面の少なくとも一部を連続して覆う第３の領域と、２個以上の乾電池の隣り合う乾電池間のそれぞれ境界部に沿って第２の領域から第３の領域まで形成された破断を容易にするための切断案内線、が設けられたシール本体を備え、
シール本体の第２の領域及び第３の領域の少なくとも一方の外縁部に、ツマミ片を設けたことを特徴とすることを特徴とする。
【００２５】
本出願の請求項１１記載の乾電池包装体は、ツマミ片が切断案内線に沿って一方に切欠き部を設けることにより他方に形成されることを特徴としている。
【００２６】
本出願の請求項１２記載の乾電池包装体は、ツマミ片が切断案内線の端を挟んだ少なくとも一方のシールの裏面に接着剤を塗布しないことにより形成されることを特徴としている。
【００２７】
本出願の請求項１３記載の乾電池包装体は、シール本体の全体を熱収縮性フィルムで覆ってシュリンク包装したことを特徴としている。
【００２８】
本出願の請求項１４記載の乾電池包装体は、シール本体を含む乾電池の全体を熱収縮性フィルムで覆ってシュリンク包装したことを特徴としている。
【００２９】
上述のように構成したことにより、本出願の請求項１に記載の乾電池用封印シールは、並列した２個以上の乾電池の一方の電極のすべての端子及び各端子間を連続して覆う第１の領域と、第１の領域の１  側に連続して形成され且つ２個以上の乾電池の一方の側面の少なくとも一部を連続して覆う第２の領域と、第１の領域の他側に連続して形成され且つ２個以上の乾電池の他方の側面の少なくとも一部を連続して覆う第３の領域との合計３領域でなるシール部で複数個の並列している乾電池の３面を一括して覆い保持することができ、且つツマミ片を持ち上げて切断案内線に沿って切り取ることで容易に所望の個数の乾電池を取り外すことができる。このとき、残された整列して封印されている乾電池は、整列形状をくずされることはない。
又、個々の乾電池の正極端子上の封印シールの有無で未使用の電池か使用済みの電池であるかを確実に判断できる。
更に、並列している複数個の乾電池の正極側のみ封印シールで周囲を囲んでカバーしているので水分を吸収する材質／環境におかれても正極と負極とを繋ぐ水分の回路は形成されず微弱電流が流れて正極の金属を溶かし錆びを生じる虞はない。
【００３０】
本出願の請求項２に記載の乾電池用封印シールでは、切断案内線に沿って一方に切欠き部を設けることにより他方にはツマミ片が形成されるのでこのツマミ片を摘んで持ち上げることにより容易に切断案内線を破断することができる。
【００３１】
本出願の請求項３に記載の乾電池用封印シールでは、切断案内線の端を挟んだ少なくとも一方のシールの裏面に接着剤を塗布しないことによりツマミ片を形成し、指先を接着剤で汚すことなくツマミ片を摘んで持ち上げることにより容易に切断案内線を破断することができる。
【００３２】
本出願の請求項４に記載の乾電池用封印シールでは、並列した少なくとも２本の乾電池の各正極端子上及び各乾電池の側面に直接接触する部分を除き隣接する乾電池の境界域に空間部を形成したことによりシュリンク包装時の加熱によって生じるシュリンクフィルムの縮みを第１の開口部に逃すことができ該封印シールを用いて複数の乾電池を束ね包装したとき外装表面にシワを生じることなく美観の優れた乾電池包装体を得ることができる。
【００３３】
本出願の請求項５に記載の電池用封印シールでは、第１の開口部の形状が円形、楕円形、正方形、長方形、又は菱形のいずれであってもシュリンク包装時に生じるシュリンクフィルムの縮みを第１の開口部に逃すことができ該封印シールを用いて複数の乾電池を束ね包装したとき外装表面にシワを生じることなく美観の優れた乾電池包装体を得ることができる。又、ツマミ片を摘み上方に引き上げる力を加えることにより容易に切断案内線を破断することができ所望の乾電池を取り外すことができる。
【００３４】
本出願の請求項６に記載の乾電池用封印シールでは、第１の開口部分の大きさは、乾電池が円筒形電池である場合、外径の１／２以上で、且つ２／３以下の寸法とすることでシュリンク包装時に生じる縮みを逃す効果が大であり、且つ封印シールの充分な強度も保持できる。
【００３５】
本出願の請求項７に記載の乾電池用封印シールでは、シール本体の第２の領域と第３の領域の、２個以上の乾電池のそれぞれの側面と接触する部分に接着剤が塗布されているので１個の所望の乾電池を取り外しても他の複数の乾電池は整列したままの形を維持できる。
【００３６】
本出願の請求項８に記載の乾電池用封印シールでは、乾電池の一方の電極に接触する第１の領域と、第２の領域及び第３の領域の少なくとも一方に設けられたツマミ部及びその近傍には、接着剤が塗布されていないので封印後の所望の乾電池を取り外す際にシールを指先で摘み易く、しかもシールの第１の領域は電極と接着剤で接着されていないのでシールを剥いだときに正極端子は露出され、使用か未使用かの判断が容易にできる。更に、正極端子に接着材が付着した場合に水分を吸って正極端子が錆びることがあるがその虞もない。
【００３７】
本出願の請求項９に記載の乾電池用封印シールでは、並列した２個以上の乾電池の一方の電極のすべての端子及び各端子間を連続して覆う第１の領域にも第２の開口部を形成することにより第１の開口部と共にシールの第１、第２及び第３の領域のすべてを覆う熱収縮性フィルムの収縮により生じるシワをより確実に吸収し乾電池包装体としての美観を保持することができる。
【００３８】
本出願の請求項１０に記載の乾電池包装体は、複数個の乾電池を封印し、並列した少なくとも２個の乾電池の各正極の存する面、及び両側面の３面部を一括して１封印シールで連続して覆い、更に全乾電池をシュリンクフィルムで包装することで所望の個数の乾電池を取り外したときでも残された乾電池の包装された形状がくずれ、ばらばらになることはない。
更に、並列している複数乾電池の一方の端方向の正極側にのみ封印シールで周囲を囲んでカバーしているので水分を吸収する材質／環境におかれても封印シールを介して正極と負極とを繋ぐ水分の回路は形成されず微弱電流が流れて正極の金属を溶かし錆びを生じる虞はない。
【００３９】
本出願の請求項１１に記載の乾電池包装体では、乾電池用封印シールに形成された切断案内線に沿って一方に切欠き部を設けることにより他方にはツマミ片が形成されるのでこのツマミ片を摘んで持ち上げることにより容易に切断案内線を破断することができ、所望の乾電池を取り外すことができる。
【００４０】
本出願の請求項１２に記載の乾電池包装体では、乾電池用封印シールに形成された切断案内線の端を挟んだ少なくとも一方のシールの裏面に接着剤を塗布しないことによりツマミ片を形成したので、指先を接着剤で汚すことなくツマミ片を摘んで持ち上げることにより容易に切断案内線を破断することができ、所望の乾電池を取り外すことができる。
【００４１】
本出願の請求項１３に記載の乾電池包装体では、乾電池の一方の電極側を乾電池用封印シールで覆い、更にその周囲を熱収縮性フィルムで覆いシュリンク包装したことによって、整列した形状の安定した乾電池包装体を得ることができる。
【００４２】
本出願の請求項１４に記載の複数乾電池を封印した乾電池包装体では、乾電池の一方の電極側を乾電池用封印シールで覆い、更にシール本体を含む乾電池の全体を熱収縮性フィルムで覆ってシュリンク包装したことにより整列した形状の安定した乾電池包装体を得ることができる。
【００４３】
【発明の実施の形態】
以下、本発明の実施の形態を添付図面を参照して説明する。図１は本発明の一実施の形態を示す電池用封印シールの平面図、図２は本発明の電池用封印シールを用いて４個の乾電池を封印する際の乾電池に対する封印シールの配置図、図３は本発明の他の実施の形態を示す電池用封印シールを用いて４個の乾電池を封印する際の乾電池に対するシールの配置図、図４は本発明の他の実施の形態を示す電池用封印シールを用いて８個の乾電池を封印する際の乾電池に対するシールの配置図、図５は本発明の他の実施の形態を示す電池用封印シールの平面図、図６は４個の乾電池の正極側を本発明の一実施の形態を示す封印シールで封印した状態を示す正面図、図７は図６で示す乾電池の正極側の封印状態を示す平面図、図８は図６で示す矢印Ａ方向から見た乾電池の側面図、図９は４個の乾電池を封印シールで封印した状態を示す斜視図である。
【００４４】
図１は本発明の一実施の形態を示す電池用封印シール（以下封印シールと略称する）の平面図を示し、封印シール１０は、図示しない並列した２個以上の乾電池の一方の電極のすべての端子及び各端子間を連続して覆う第１の領域１０ａと、第１の領域１０ａの１  側に連続して形成される第２の領域１０ｂと、第１の領域１０ａの他側に連続して形成される第３の領域１０ｃとが一体に形成される。第２の領域１０ｂは、封印される２個以上の乾電池の一方の側面の少なくとも一部を連続して覆うことになる。第３の領域１０ｃは、封印される２個以上の乾電池の他方の側面の少なくとも一部を連続して覆うことになる。
封印シール１０の裏面全体には粘着接着剤が塗布されている。
【００４５】
封印シール１０には、図示しない隣接する乾電池同士の両肩に当る部分に夫々一対の開口部分１２ａ，１２ａが形成される。同様に並列している乾電池同士の隣接する両肩に当る部分に夫々一対の開口部分１２ｂ、１２ｂが形成され、同様に続いて隣接する乾電池同士の両肩に当る部分に夫々一対の開口部分１２ｃ、１２ｃが形成される。
【００４６】
開口部分１２ａ、１２ｂ、１２ｃの夫々の径は、乾電池の外径の１／２以上で且つ２／３以下であることが最適である。開口部分は、シュリンクフィルムで包装した後、加熱すると生じる縮みを逃す空間部としての役目を果たし複数の乾電池を束ね包装したときに美観を損なうことがない。開口部分の径は、乾電池の外径の１／２以下では縮みを逃す効果が少なくシワとなり、２／３以上では電池用封印シールの強度が不足する。
【００４７】
該開口部の形状は正円であることが封印シールを形成する製造工程上容易であるが、これに限らず楕円形、正方形、長方形、又は菱形であってもよい。
【００４８】
この封印シール１０には、一対の開口部１２ａ，１２ａの中心を結ぶ線上及びその延長線上に切断案内線となるミシン目１４ａが形成される。同様に一対の開口部１２ｂ，１２ｂの中心を結ぶ線上及びその延長線上に切断案内線となるミシン目１４ｂが形成され、一対の開口部１２ｃ，１２ｃの中心を結ぶ線上及びその延長線上に切断案内線となるミシン目１４ｃが形成される。
【００４９】
領域１０ｃ上のミシン目１４ａ、１４ｂ及び１４ｃの先端部分に切り欠き部１５ａ、１５ｂ、１５ｃを設けることにより、結果としてミシン目の延長線の先端部分にツマミ片１６ａ、１６ｂ及び１６ｃを形成する。これらツマミ片１６ａ、１６ｂ及び１６ｃを摘み、引き上げる力を加えるとミシン目１４ａ、１４ｂ及び１４ｃは破断され対応する乾電池が取り外されることになる。又、切り欠き部を設けずに封印シール１０の上述したツマミ片１６ａ、１６ｂ及び１６ｃの裏面に当る部分には接着剤を塗らずにおくことでツマミ片１６ａ、１６ｂ及び１６ｃとすることができる。接着剤が塗られていないので指先を汚すことなくツマミ片１６ａ、１６ｂ及び１６ｃを引き上げミシン目を破断することができる。
【００５０】
図２は本発明の電池用封印シールを用いて４個の乾電池を封印する際の乾電池に対する電池用封印シール（以下封印シールと略称する）の配置図を示す。
封印シール１０は、並列した４個の乾電池１１ａ、１１ｂ、１１ｃ、１１ｄの正極側をカバーする。封印シール１０は、第１の領域１０ａ、第２の領域１０ｂ、及び第３の領域１０ｃからなり、隣接する乾電池１１ａ、１１ｂの両肩に当る部分に夫々一対の開口部分１２ａ，１２ａが形成される。同様に乾電池１１ｂ、１１ｃの隣接する両肩に当る部分に夫々一対の開口部分１２ｂ、１２ｂが形成され、乾電池１１ｃ、１１ｄの隣接する両肩に当る部分に夫々一対の開口部分１２ｃ、１２ｃが形成される。
【００５１】
開口部分１２ａ、１２ｂ、１２ｃの夫々の径は、乾電池の外径の１／２以上で且つ２／３以下であることが最適である。開口部分は、シュリンクフィルムで包装した後、加熱すると生じる縮みを逃す空間部としての役目を果たし複数の乾電池を束ね包装したときにシワによる美観を損なうことがない。開口部分の径は、乾電池の外径の１／２以下では縮みを逃す効果が少なくシワとなり、２／３以上では電池用封印シールの強度が不足する。
【００５２】
該開口部の形状は正円であることが封印シールを形成する製造工程上容易であるが、これに限らず楕円形、正方形、長方形、又は菱形であってもよい。
【００５３】
封印シール１０の第２の領域１０ｂ及び第３の領域１０ｃの夫々には乾電池１１ａの対向する２側面に接着される接着剤１３ａ，１３ａが塗布されている。同様に、第２の領域１０ｂ及び第３の領域１０ｃの夫々には乾電池１１ｂの対向する２側面に接着される接着剤１３ｂ、１３ｂが塗布され、乾電池１１ｃの対向する２側面に接着される接着剤１３ｃ、１３ｃが塗布され、乾電池１１ｄの対向する２側面に接着される接着剤１３ｄ、１３ｄが塗布される。図上、斜線で示す部分に接着剤が塗布される。
【００５４】
図２から明らかなように乾電池１１ａ、１１ｂ、１１ｃ、１１ｄの正極の上面に当接する封印シール１０の部分は接着剤が塗布されていないので接着剤が水分を吸うことが原因で生じる正極部分の錆びは防げる。
【００５５】
一対の開口部１２ａ，１２ａの中心を結ぶ線上及びその延長線上に切断案内線となるミシン目１４ａを形成する。同様に一対の開口部１２ｂ，１２ｂの中心を結ぶ線上及びその延長線上に切断案内線となるミシン目１４ｂを形成し、一対の開口部１２ｃ，１２ｃの中心を結ぶ線上及びその延長線上に切断案内線となるミシン目１４ｃを形成する。
【００５６】
領域１０ｃ上のミシン目１４ａ、１４ｂ及び１４ｃの先端部分に切り欠き部１５ａ、１５ｂ、１５ｃを設け、ツマミ片１６ａ、１６ｂ及び１６ｃを形成する。これらツマミ片を摘み、引き上げる力を加えるとミシン目１４ａ、１４ｂ及び１４ｃは破断され対応する乾電池が取り出される。例えば乾電池１１ｂを取り外そうとするときツマミ片１６ａを摘み引き上げるとミシン目１４ａ、１４ｂは破断し、接着剤１３ｂ、１３ｂは剥ぎ取られ乾電池１１ｂのみが整列している他の乾電池１１ａ、１１ｃ、１１ｄから取り外される。このとき、封印シール１０の乾電池１１ｂの正極に接している部分には接着剤は塗布されていないので容易に正極は露出する。
このとき、ツマミ片１６ａ、１６ｂ及び１６ｃの裏面には接着剤は塗布されていないのでツマミ片を摘む際に支障は生じない。
【００５７】
次に、図３を参照して本出願に係る電池用封印シールの第２の実施に形態について説明する。
封印シール１０は、並列した４個の乾電池１１ａ、１１ｂ、１１ｃ、１１ｄの正極側をカバーする。
封印シール１０は、３領域１０ａ、１０ｂ、１０ｃからなり、隣接する乾電池１１ａ、１１ｂの両肩に当る部分に夫々一対の開口部分１２ａが形成される。同様に乾電池１１ｂ、１１ｃの隣接する両肩に当る部分に夫々一対の開口部分１２ｂが形成され、乾電池１１ｃ、１１ｄの隣接する両肩に当る部分に夫々一対の開口部分１２ｃが形成される。
【００５８】
一対の開口部分１２ａ，１２ａとの間で且つ隣接する乾電池１１ａ、１１ｂの肩部分を共通に露出する略矩形の開口部１７ａが形成される。
同様に、一対の開口部分１２ｂ，１２ｂとの間で且つ隣接する乾電池１１ｂ、１１ｃの肩部分を共通に露出する略矩形の開口部１７ｂが形成され、一対の開口部分１２ｃ，１２ｃとの間で且つ隣接する乾電池１１ｃ、１１ｄの肩部分を共通に露出する略矩形の開口部１７ｃが形成される。
【００５９】
開口部１７ａ、１７ｂ、１７ｃは、開口部１２ａ、１２ｂ、１２ｃと共に乾電池包装体を得る際のシュリンク包装時の加熱によって生じるシュリンクフィルムの縮みをより確実に逃すことができ、外装表面にシワが生じないので乾電池包装体の美観が保持される。
【００６０】
図３に示す実施の形態において接着剤１３ａ、１３ｂ、１３ｃ、１３ｄ、ミシン目１４ａ、１４ｂ、１４ｃ、切り欠き部１５ａ、１５ｂ、１５ｃ、１５ｄ、ツマミ片１６ａ、１６ｂ、１６ｃは、図１に示す実施の形態における部分と同一であり、同一参照番号を付してその構成の説明は省略する。
【００６１】
図４は本発明の更に他の実施の形態を示す電池用封印シールの平面図を示す。図４は８本の乾電池１１ａ〜１１ｈの各正極部分を一体にカバーする電池用封印シールの実施の形態を示し、図１に示す実施の形態が４個の乾電池の各正極部分を一体にカバーするのに対して本実施の形態は、８個の乾電池を対象にしている点を除けば、基本構成は同一であり同一部分には同一参照番号を付してその具体的構成の説明は省略する。
【００６２】
図５は本発明の他の実施の形態を示す電池用封印シールの平面図を示す。
図５に示す第１の領域１０ａ、第２の領域１０ｂ及び第３の領域１０ｃ、一対の開口部１２ａ、１２ｂ、１２ｃ、ミシン目１４ａ、１４ｂ、１４ｃ、切り欠き部１５ａ、１５ｂ、１５ｃ、１５ｄ、ツマミ片１６ａ、１６ｂ、１６ｃは、図１に示す実施の形態における部分と同一であり、同一参照番号を付してその構成の説明は省略する。
この他の実施の形態を示す電池用封印シールは、第１の領域１０ａの裏面には接着剤は塗布されない。第３の領域１０ｃに設けられたツマミ片１５ａ、１５ｂ、１５ｃ及びその近傍も接着剤は塗布されない。
【００６３】
従って、所望の乾電池を取り外す際に対応する箇所のツマミ片を摘む際に接着剤は塗布されてないので支障なく摘める。又、第１の領域１０ａの裏面には接着剤は塗布されてないのでミシン目に沿ってシールを切り剥がしたとき取り外された乾電池の正極には電池用封印シール１０は部分的にも接着していなく正極表面は露出する。このとき残存して整列している他の乾電池は第２の領域１０ｂ及び第３の領域１０ｃの裏面の図上斜線で示した箇所に塗布されている接着剤で接着されているので整列されている形状はそのまま保持される。
【００６４】
次に、図１乃至図５に示す実施の形態の電池用封印シールの内、図１に示す電池用封印シールを用いて４本の乾電池を封印する乾電池包装体の形態を図６乃至図９を参照して説明する。
【００６５】
図６は４個の乾電池の正極側を本発明の電池用封印シールで封印した状態を示す正面図である。
並列にした４本の乾電池１１ａ、１１ｂ、１１ｃ、１１ｄの正極のある一方の端に電池用封印シールを被覆する。図１に示す封印シール１０の領域１０ｃが乾電池の正面に図示されている。
【００６６】
開口部１２ａは、隣接する乾電池１１ａ、１１ｂの肩部を夫々共通に露出する。同様に開口部１２ｂは、隣接する乾電池１１ｂ、１１ｃの肩部を夫々共通に露出し、開口部１２ｃは、隣接する乾電池１１ｃ、１１ｄの肩部を夫々共通に露出している。
【００６７】
このとき、各ミシン目１４ａ、１４ｂ、１４ｃは、夫々隣接する乾電池間の境目に位置することになる。各ミシン目１４ａ、１４ｂ、１４ｃの延長線の先端には一方に切欠き部１５ａ、１５ｂ、１５ｃが形成され、他方にツマミ片１６ａ、１６ｂ、１６ｃが形成されることになる。
【００６８】
図７は、図６で示す乾電池の正極側の封印状態を示す平面図であり、４本の乾電池１１ａ、１１ｂ、１１ｃ、１１ｄの各正極端子上及び各正極端子間の周辺を連続して覆う領域１０ａが示される。各電池間の境界にはミシン目１４ａ、１４ｂ、１４ｃが形成され、隣接する両電池の肩部は共通に開口部１２ａ、１２ｂ、１２ｃによって夫々露出されている。
【００６９】
図８は、図６で示す矢印Ａ方向から見た側面図であり、乾電池１１ａの長手方向の正極側の略１／２以内の長さの側面を封印シール１０で巻き付け接着剤で付着する。このとき、ツマミ片１６ａの内側は接着剤が塗布されていないので僅かに浮いている。
【００７０】
図９は４個の乾電池を封印シール１０で封印した状態を示す斜視図である。封印シール１０の領域１０ａが４本の乾電池１１ａ、１１ｂ、１１ｃ、１１ｄの各正極端子上及び各正極端子間の周辺を連続して覆い、領域１０ｃが各電池間の側面の一部を覆っている。各電池間の境界にはミシン目１４ａ、１４ｂ、１４ｃが形成され、ミシン目の延長線上の端は切り欠かれ、ツマミ片１６ａ、１６ｂ、１６ｃが形成されている。
上述した図６乃至図９に示す４本の乾電池を封印シール１０で部分的に封印した後、全体をシュリンクフィルム（図示せず）で包装する。
【００７１】
上述した乾電池包装体は、封印シール１０の第１の領域１０ａで複数本の乾電池の各正極端子上及び各正極端子間を連続して覆い、上記第１の領域１０ａの両側に形成される第２の領域１０ｂで各乾電池の一方の側面を部分的に連続して覆い、第３の領域１０ｃで各乾電池の他方の側面を部分的に連続して覆うことにより、複数個の乾電池は３方向からの３面で安定して固定される。しかも、使用時に１個の乾電池を取り外したときにも残された一連の乾電池は形状をくずさず封印シール１０で保持される。
【００７２】
次に、図６乃至図９を参照しながら本発明の複数個の乾電池を封印した包装体から所望の１個の乾電池を取り外す場合について説明する。
先ず、全体を包装しているシュリンクフィルムを破り任意の乾電池１１ｂを取り外す際、封印シール１０に形成されているツマミ片１６ａを摘んで上方に引き上げる。それによって乾電池１１ｂの一方の側面と接着剤で接着されている封印シール１０の裏面を引き剥がし、それに伴いミシン目１４ａ、１４ｂは破断され開口部１２ａ、１２ｂを経て他方の側面まで連続して破断される。
【００７３】
これによって、一連の他の乾電池１１ａ，１１ｃ、１１ｄから乾電池１１ｂは取り外される。このとき、乾電池１１ｂの正極の上面は、接着剤には接していないので封印シール１０をミシン目に沿って切り離すと同時に露出される。
【００７４】
その結果、これから使用しようとする又は使用した乾電池１１ｂは、常に正極の上面から封印シール１０は取り外され露出されているので外見から当該乾電池が使用済みと判断できる。一方、未使用の乾電池１１ａ，１１ｃ、１１ｄは、形態をくずさないままで封印シール１０で封印されていて未使用であると判断される。
【００７５】
【発明の効果】
以上説明したように、本出願の請求項１に記載の乾電池用封印シールによれば、並列した２個以上の乾電池の一方の電極のすべての端子及び各端子間を連続して覆う第１の領域と、上記第１の領域の１  側に連続して形成され且つ上記２個以上の乾電池の一方の側面の少なくとも一部を連続して覆う第２の領域と、上記第１の領域の他側に連続して形成され且つ上記２個以上の乾電池の他方の側面の少なくとも一部を連続して覆う第３の領域との合計３領域でなるシール部で複数個の並列している乾電池の３面を一括して覆い保持することができ、且つツマミ片を持ち上げて切断案内線に沿って切り取ることで容易に所望の個数の乾電池を取り外すことができる。このとき、残された整列して封印されている乾電池は、形状をくずされることはない。
又、個々の乾電池の正極端子上の封印シールの有無で未使用の電池か使用済みの電池であるかを確実に判断できる。
更に、並列している複数乾電池の正極側の一方の端方向にのみ封印シールで周囲を囲んでカバーしているので水分を吸収する材質／環境におかれても正極と負極とを繋ぐ水分の回路は形成されず微弱電流が流れて正極の金属を溶かし錆びを生じる虞はない。
【００７６】
本出願の請求項２に記載の電池用封印シールによれば、切断案内線に沿って一方に切欠き部を設けることにより他方にはツマミ片が形成されるのでこのツマミ片を摘んで持ち上げることにより容易に切断案内線を破断することができる。
【００７７】
本出願の請求項３に記載の乾電池用封印シールによれば、切断案内線の端を挟んだ少なくとも一方のシールの裏面に接着剤を塗布しないことによりツマミ片を形成し、指先を接着剤で汚すことなくツマミ片を摘んで持ち上げることにより容易に切断案内線を破断することができる。
【００７８】
本出願の請求項４に記載の乾電池用封印シールによれば、並列した少なくとも２本の乾電池の各正極端子上及び各乾電池の側面に直接接触する部分を除き隣接する乾電池の境界域に空間部を形成したことによりシュリンク包装時の加熱によって生じるシュリンクフィルムの縮みを第１の開口部に逃すことができ該封印シールを用いて複数の乾電池を束ね包装したとき外装表面にシワを生じることなく美観の優れた乾電池包装体を得ることができる。
【００７９】
本出願の請求項５に記載の電池用封印シールでは、第１の開口部の形状が円形、楕円形、正方形、長方形、又は菱形のいずれであってもシュリンク包装時に生じるシュリンクフィルムの縮みを第１の開口部に逃すことができ該封印シールを用いて複数の乾電池を束ね包装したとき外装表面にシワを生じることなく美観の優れた乾電池包装体を得ることができる。又、ツマミ片を摘み上方に引き上げる力を加えることにより容易に切断案内線を破断することができ所望の乾電池を取り外すことができる。
【００８０】
本出願の請求項６に記載の乾電池用封印シールによれば、第１の開口部分の大きさは、乾電池が円筒形電池である場合、外径の１／２以上で、且つ２／３以下の寸法とすることでシュリンク包装時に生じる縮みを逃す効果が大であり、且つ封印シールの充分な強度も保持できる。
【００８１】
本出願の請求項７に記載の乾電池用封印シールによれば、シール本体の第２の領域と第３の領域の、２個以上の乾電池のそれぞれの側面と接触する部分に接着剤が塗布されているので１個の所望の乾電池を取り外しても他の複数の乾電池は整列したままの形を維持できる。
【００８２】
本出願の請求項８に記載の乾電池用封印シールによれば、乾電池の一方の電極に接触する第１の領域と、第２の領域及び第３の領域の少なくとも一方に設けられたツマミ部及びその近傍には、接着剤が塗布されていないので封印後の所望の乾電池を取り外す際にシールを指先で摘み易く、しかもシールの第１の領域は電極と接着剤で接着されていないのでシールを剥いだときに正極端子は露出され、使用か未使用かの判断が容易にできる。更に、正極端子に接着材が付着した場合に水分を吸って正極端子が錆びることがあるがその虞もない。
【００８３】
本出願の請求項９に記載の乾電池用封印シールによれば、並列した２個以上の乾電池の一方の電極のすべての端子及び各端子間を連続して覆う第１の領域にも第２の開口部を形成することにより第１の開口部と共にシールの第１、第２及び第３の領域のすべてを覆う熱収縮性フィルムの収縮により生じるシワをより確実に吸収し乾電池包装体としての美観を保持することができる。
【００８４】
本出願の請求項１０に記載の乾電池包装体は、複数個の乾電池を封印し、並列した少なくとも２個の乾電池の各正極の存する面、及び両側面の３面部を一括して１封印シールで連続して覆い、更に全乾電池をシュリンクフィルムで包装することで所望の個数の乾電池を取り外したときでも残された乾電池の包装された形状がくずれ、ばらばらになることはない。
更に、並列している複数乾電池の一方の端方向の正極側にのみ封印シールで周囲を囲んでカバーしているので水分を吸収する材質／環境におかれても封印シールを介して正極と負極とを繋ぐ水分の回路は形成されず微弱電流が流れて正極の金属を溶かし錆びを生じる虞はない。
【００８５】
本出願の請求項１１に記載の乾電池包装体によれば、乾電池用封印シールに形成された切断案内線に沿って一方に切欠き部を設けることにより他方にはツマミ片が形成されるのでこのツマミ片を摘んで持ち上げることにより容易に切断案内線を破断することができ、所望の乾電池を取り外すことができる。
【００８６】
本出願の請求項１２に記載の乾電池包装体によれば、乾電池用封印シールに形成された切断案内線の端を挟んだ少なくとも一方のシールの裏面に接着剤を塗布しないことによりツマミ片を形成したので、指先を接着剤で汚すことなくツマミ片を摘んで持ち上げることにより容易に切断案内線を破断することができ、所望の乾電池を取り外すことができる。
【００８７】
本出願の請求項１３に記載の乾電池包装体によれば、乾電池の一方の電極側を乾電池用封印シールで覆い、更にその周囲を熱収縮性フィルムで覆いシュリンク包装したことによって、整列した形状の安定した乾電池包装体を得ることができる。
【００８８】
本出願の請求項１４に記載の複数乾電池を封印した乾電池包装体では、乾電池の一方の電極側を乾電池用封印シールで覆い、更にシール本体を含む乾電池の全体を熱収縮性フィルムで覆ってシュリンク包装したことにより整列した形状の安定した乾電池包装体を得ることができる。
【図面の簡単な説明】
【図１】本発明の一実施の形態を示す電池用封印シールの平面図である。
【図２】本発明の電池用封印シールを用いて４個の乾電池を封印する際の乾電池に対する封印シールの配置図である。
【図３】本発明の他の実施の形態を示す電池用封印シールを用いて４個の乾電池を封印する際の乾電池に対するシールの配置図である。
【図４】本発明の他の実施の形態を示す電池用封印シールを用いて８個の乾電池を封印する際の乾電池に対するシールの配置図である。
【図５】本発明の他の実施の形態を示す電池用封印シールの平面図である。
【図６】図６は４個の乾電池の正極側を本発明の一実施の形態を示す封印シールで封印した状態を示す正面図である。
【図７】図７は図６で示す乾電池の正極側の封印状態を示す平面図である。
【図８】図８は図６で示す矢印Ａ方向から見た乾電池の側面図である。
【図９】図９は４個の乾電池を封印シールで封印した状態を示す斜視図である。
【符号の説明】
１０  封印シール、    １０ａ、１０ｂ、１０ｃ    封印シールの第１、第２、第３領域、    １１ａ、１１ｂ、１１ｃ、１１ｄ  乾電池、    １２ａ、１２ｂ、１２ｃ  第１の開口部、    １３ａ、１３ｂ、１３ｃ  接着剤、    １４ａ、１４ｂ、１４ｃ  ミシン目、    １５ａ、１５ｂ、１５ｃ  切り欠き部、  １６ａ、１６ｂ、１６ｃ  ツマミ片、    １７ａ、１７ｂ、１７ｃ  第２の開口部
【図１】
2004165016.tif 000003
【図２】
2004165016.tif 000004
【図３】
2004165016.tif 000005
【図４】
2004165016.tif 000006
【図５】
2004165016.tif 000007
【図６】
2004165016.tif 000008
【図７】
2004165016.tif 000009
【図８】
2004165016.tif 000010
【図９】
2004165016.tif 000011